(57)【要約】【課題】  大掛かりな治具を用いずに取付作業を実施できるようにする。【解決手段】  オフセット印刷装置におけるガイドレール２に沿って移動可能な移動テーブル３上に、上面側に接着手段１３を備えたブランケットシート１１を載置する。移動テーブル３上のブランケットシート１１の一端部に、ブランケットロール本体１０を上方より接触させて、その外周面の下端側位置に、ブランケットシート１１の一端部を接着手段１３を介して接着させる。次いで、ブランケットロール本体１０をブランケットシート１１を巻き取る方向へ回転させると共に、移動テーブル３を移動させ、この際、ブランケットロール本体１０の周速Ｖｒが、移動テーブル３の移動速度Ｖｓよりも速くなるようにすることで、両者の速度差に応じた張力を与えながらブランケットシート１１をブランケットロール本体１０の外周面に接着手段１３を介して接着させる。【選択図】図３
2011152726.tif 000002
【特許請求の範囲】
【請求項１】
テーブル上に、上面側に接着手段を備えたブランケットシートを載置し、該テーブル上に載置されたブランケットシートの一端部に対しブランケットロール本体の外周面の下端側位置を接触させて、該ブランケットロール本体の外周面の下端側位置に上記ブランケットシートの一端部を上記接着手段を介して接着させ、次いで、上記ブランケットロール本体を、上記ブランケットシートを巻き取る方向へ回転させると共に、該ブランケットロール本体を、上記テーブルに対し該テーブル上のブランケットシートの他端部側に近接する方向へ相対移動させ、且つ上記ブランケットロール本体の周速が、上記ブランケットロール本体とテーブルとの相対移動速度よりも速くなるようにして、上記ブランケットシートに上記周速と相対移動速度の速度差に応じた張力を与えながら該ブランケットシートを接着手段を介して上記ブランケットロール本体の外周面に接着して取り付けることを特徴とする印刷用ブランケットシートの取付方法。
【請求項２】
ガイドレールに沿って移動可能なテーブル上に、上面側に接着手段を備えたブランケットシートを載置し、該テーブル上に載置されたブランケットシートの一端部に対し、上記ガイドレールと直交する水平方向に配置したブランケットロール本体の外周面の下端側位置を上方より接触させて、該ブランケットロール本体の外周面の下端側位置に上記ブランケットシートの一端部を上記接着手段を介して接着させ、次いで、上記ブランケットロール本体を、上記ブランケットシートを巻き取る方向へ回転させると共に、上記テーブルを、該テーブル上のブランケットシートを上記ブランケットロール本体の直下位置へ近接させる方向へ移動させ、且つ上記ブランケットロール本体の周速が、上記テーブルの移動速度よりも速くなるようにして、上記ブランケットシートに上記ブランケットロール本体の周速と移動テーブルの移動速度の速度差に応じた張力を与えながら該ブランケットシートを接着手段を介して上記ブランケットロール本体の外周面に接着して取り付けることを特徴とする印刷用ブランケットシートの取付方法。
【請求項３】
テーブル上のブランケットシートにおける印刷パターン転写領域にブランケットロール本体の外周面の下端側位置が接触している間、ブランケットロール本体の周速とテーブルの移動速度をそれぞれ一定にする請求項２記載の印刷用ブランケットシートの取付方法。
【請求項４】
テーブルとして、オフセット印刷装置における平板状の版及び／又は平板状の印刷対象を保持してブランケットロールの下方を走行できるようにしてあるテーブルを用いるようにする請求項２又は３記載の印刷用ブランケットシートの取付方法。
【請求項５】
テーブル上に載置したブランケットシートにおけるブランケットロール本体の直下位置より離反する側の端部を、上記テーブル上に仮止め手段を介して仮止めするようにする請求項１、２、３又は４記載の印刷用ブランケットシートの取付方法。
【請求項６】
仮止め手段として、ブランケットロールの上面側に備える接着手段よりも接着強度が小さい仮止め用両面テープを用いるようにする請求項５記載の印刷用ブランケットシートの取付方法。
【発明の詳細な説明】
【技術分野】
【０００１】
本発明は、オフセット印刷装置で用いるブランケットロールのブランケットロール本体の外周にブランケットシートを取り付けるために用いる印刷用ブランケットシートの取付方法に関するものである。
【背景技術】
【０００２】
印刷装置の１つの形式として、版胴又は平板状の版の版面にブランケットロールを接触させて該版面よりブランケットロールの表面に一旦インクを転写（受理）し、次いで、上記ブランケットロールを、平板状の印刷対象に押し付けるように接触させることで、該ブランケットロールの表面のインクを上記印刷対象の印刷面に再転写（印刷）するようにして印刷を実施するようにしたオフセット印刷機がある。
【０００３】
上記のようなオフセット印刷装置で用いるブランケットロールは、剛性の高い円筒形状のブランケットロール本体の外周に、シリコン系等の弾性を有する樹脂製のブランケットシートを取り付けた構成としてある。
【０００４】
ところで、オフセット印刷装置における印圧の管理を行う手法としては、上記ブランケットロールの外周部を形成しているブランケットシートが弾性を備えていることから、該ブランケットシートのつぶし代を計測して、このつぶし代を印圧と称して管理することが多く行われている。
【０００５】
そのため、上記印圧を精度よく管理できるようにするためには、上記ブランケットシートを、ブランケットロール本体の外周に取り付けた状態で厚みが一定になるようにすると共に、印圧を作用させたときにも弛みが生じないようにする必要があり、そのために、上記ブランケットシートは、或る一定の均一な張力（内部張力）をかけた状態でブランケットロール本体の外周に取り付ける必要がある。
【０００６】
ブランケットロールにおけるブランケットロール本体の外周にブランケットシートを取り付けるための手法としては、たとえば、ブランケットロールを構成するためのブランケットロール本体の外周面に、ロール軸方向に平行な溝を掘り、ブランケットシートの張力をかける方向となる長手方向の両端縁部にそれぞれ取り付けたブランケット端金具のうちの一方のブランケット端金具を、上記ブランケットロール本体の溝に固定した後、他方のブランケット端金具に接続した張力検出器によって検出される上記ブランケットシートにかかる張力を管理しながら、該ブランケットシートをブランケットロール本体の外周に巻き付けるように配置し、しかる後、上記ブランケットシートに張力をかけた状態にて、上記他方のブランケット端金具を上記ブランケットロール本体の外周面の対応する個所に設けてある保持部に受け渡すようにして、上記ブランケットシートのブランケットロール本体の外周への取り付けを行うようにする手法が従来提案されている（たとえば、特許文献１参照）。
【先行技術文献】
【特許文献】
【０００７】
【特許文献１】特許第３３６３８１９号公報
【発明の概要】
【発明が解決しようとする課題】
【０００８】
ところが、上記特許文献１に示された手法は、ブランケットロール本体に取り付けるブランケットシートにかける張力の精密な管理が可能になるように思われるが、その一方、ブランケットシートの取り付けに張力検出器を備えた専用の大掛かりな治具が必要になると共に、多くの手間を要するというのが実状である。
【０００９】
そのため、上記ブランケットロールのブランケットシートは、オフセット印刷処理に用いることで徐々に摩耗したり弾性が低下する等の性能低下が生じるために、定期的、あるいは、所要の印刷処理時間毎に寿命に達したブランケットシートを新たなブランケットシートに交換する必要があるが、この交換作業に多大な労力及び時間を要するという問題が生じてしまう。
【００１０】
そこで、本発明は、オフセット印刷装置で用いるブランケットロールにおけるブランケットロール本体の外周に、ブランケットシートを均一張力を与えた状態で取り付けを行うことができ、且つ該ブランケットシートの上記ブランケットロール本体の外周への取付作業を、大掛かりな治具を要することなく少ない労力で実施できるようにするための印刷用ブランケットシートの取付方法を提供しようとするものである。
【課題を解決するための手段】
【００１１】
本発明は、上記課題を解決するために、請求項１に対応して、テーブル上に、上面側に接着手段を備えたブランケットシートを載置し、該テーブル上に載置されたブランケットシートの一端部に対しブランケットロール本体の外周面の下端側位置を接触させて、該ブランケットロール本体の外周面の下端側位置に上記ブランケットシートの一端部を上記接着手段を介して接着させ、次いで、上記ブランケットロール本体を、上記ブランケットシートを巻き取る方向へ回転させると共に、該ブランケットロール本体を、上記テーブルに対し該テーブル上のブランケットシートの他端部側に近接する方向へ相対移動させ、且つ上記ブランケットロール本体の周速が、上記ブランケットロール本体とテーブルとの相対移動速度よりも速くなるようにして、上記ブランケットシートに上記周速と相対移動速度の速度差に応じた張力を与えながら該ブランケットシートを接着手段を介して上記ブランケットロール本体の外周面に接着して取り付けるようにする。
【００１２】
又、請求項２に対応して、ガイドレールに沿って移動可能なテーブル上に、上面側に接着手段を備えたブランケットシートを載置し、該テーブル上に載置されたブランケットシートの一端部に対し、上記ガイドレールと直交する水平方向に配置したブランケットロール本体の外周面の下端側位置を上方より接触させて、該ブランケットロール本体の外周面の下端側位置に上記ブランケットシートの一端部を上記接着手段を介して接着させ、次いで、上記ブランケットロール本体を、上記ブランケットシートを巻き取る方向へ回転させると共に、上記テーブルを、該テーブル上のブランケットシートを上記ブランケットロール本体の直下位置へ近接させる方向へ移動させ、且つ上記ブランケットロール本体の周速が、上記テーブルの移動速度よりも速くなるようにして、上記ブランケットシートに上記ブランケットロール本体の周速と移動テーブルの移動速度の速度差に応じた張力を与えながら該ブランケットシートを接着手段を介して上記ブランケットロール本体の外周面に接着して取り付けるようにする。
【００１３】
更に、上記構成において、テーブル上のブランケットシートにおける印刷パターン転写領域にブランケットロール本体の外周面の下端側位置が接触している間、ブランケットロール本体の周速とテーブルの移動速度をそれぞれ一定にするようにする。
【００１４】
更に又、上記各構成において、テーブルとして、オフセット印刷装置における平板状の版及び／又は平板状の印刷対象を保持してブランケットロールの下方を走行できるようにしてあるテーブルを用いるようにする。
【００１５】
上述の各構成において、テーブル上に載置したブランケットシートにおけるブランケットロール本体の直下位置より離反する側の端部を、上記テーブル上に仮止め手段を介して仮止めするようにする。
【００１６】
更に、上記構成において、仮止め手段として、ブランケットロールの上面側に備える接着手段よりも接着強度が小さい仮止め用両面テープを用いるようにする。
【発明の効果】
【００１７】
本発明の印刷用ブランケットシートの取付方法によれば、以下のような優れた効果を発揮する。 
（１）テーブル上に、上面側に接着手段を備えたブランケットシートを載置し、該テーブル上に載置されたブランケットシートの一端部に対しブランケットロール本体の外周面の下端側位置を接触させて、該ブランケットロール本体の外周面の下端側位置に上記ブランケットシートの一端部を上記接着手段を介して接着させ、次いで、上記ブランケットロール本体を、上記ブランケットシートを巻き取る方向へ回転させると共に、該ブランケットロール本体を、上記テーブルに対し該テーブル上のブランケットシートの他端部側に近接する方向へ相対移動させ、且つ上記ブランケットロール本体の周速が、上記ブランケットロール本体とテーブルとの相対移動速度よりも速くなるようにして、上記ブランケットシートに上記周速と相対移動速度の速度差に応じた張力を与えながら該ブランケットシートを接着手段を介して上記ブランケットロール本体の外周面に接着して取り付けるようにしてあるので、ブランケットロール本体の外周面に、ブランケットシートを、張力を与えた状態で取り付けてブランケットロールを形成することができる。 
（２）この際、上記ブランケットシートに張力を与える手段としては、ブランケットロール本体の周速と、上記ブランケットロール本体のブランケットシートを載置したテーブルに対する相対移動速度との速度差を利用するようにしてあるため、張力検出器を要する専用の大掛かりな治具を要することなく上記ブランケットロール本体の外周に対するブランケットシートの取り付けを行うことができて、取付作業に要する労力及び時間を大幅に削減することができる。 
（３）しかも、上記ブランケットシートは、接着手段によりブランケットロール本体の外周面に接着して取り付けるようにしてあるため、上記接着手段の接着力を弱める溶剤をブランケットシートに染み込ませることで、弱い力で容易に取り外すことが可能になる。
（４）よって、寿命に達したブランケットシートを交換する作業に要する労力及び時間を大幅に削減する効果が期待できる。 
（５）又、ガイドレールに沿って移動可能なテーブル上に、上面側に接着手段を備えたブランケットシートを載置し、該テーブル上に載置されたブランケットシートの一端部に対し、上記ガイドレールと直交する水平方向に配置したブランケットロール本体の外周面の下端側位置を上方より接触させて、該ブランケットロール本体の外周面の下端側位置に上記ブランケットシートの一端部を上記接着手段を介して接着させ、次いで、上記ブランケットロール本体を、上記ブランケットシートを巻き取る方向へ回転させると共に、上記テーブルを、該テーブル上のブランケットシートを上記ブランケットロール本体の直下位置へ近接させる方向へ移動させ、且つ上記ブランケットロール本体の周速が、上記テーブルの移動速度よりも速くなるようにして、上記ブランケットシートに上記ブランケットロール本体の周速と移動テーブルの移動速度の速度差に応じた張力を与えながら該ブランケットシートを接着手段を介して上記ブランケットロール本体の外周面に接着して取り付けるようにしてあるので、上記（１）と同様な効果を得ることができ、又、ブランケットシートに張力を与える手段として、ブランケットロール本体の周速と、ブランケットシートを載置したテーブルの移動速度との速度差を利用するようにしてあるため、上記（２）と同様の効果を得ることができ、更には、上記（３）（４）と同様の効果を得ることができる。 
（６）テーブル上のブランケットシートにおける印刷パターン転写領域にブランケットロール本体の外周面の下端側位置が接触している間、ブランケットロール本体の周速とテーブルの移動速度をそれぞれ一定にするようにすることにより、ブランケットロール本体の外周に取り付けられたブランケットシートにおける印刷パターン転写領域に、一定の張力を確実に与えることができる。よって、上記ブランケットロール本体とブランケットシートからなるブランケットロールを用いてオフセット印刷を実施する際に、上記ブランケットシートの印刷パターン転写領域を介して版より印刷対象へオフセット印刷する印刷パターンの再現性の精度を高めることができて、精密な印刷パターンのオフセット印刷を実施するのに有利なものとする効果が期待できる。 
（７）テーブルとして、オフセット印刷装置における平板状の版及び／又は平板状の印刷対象を保持してブランケットロールの下方を走行できるようにしてあるテーブルを用いるようにすることにより、平板状の版及び／又は平板状の印刷対象を保持してブランケットロールの下方を走行するテーブルを備えた形式のオフセット印刷装置におけるブランケットロールに、本発明の印刷用ブランケットシートの取付方法を容易に適用できる。しかも、上記オフセット印刷装置に元々装備されている装置構成を利用して本発明の印刷用ブランケットシートの取付方法を容易に実施することが可能になる。 
（８）テーブル上に載置したブランケットシートにおけるブランケットロール本体の直下位置より離反する側の端部を、上記テーブル上に仮止め手段を介して仮止めするようにすることにより、テーブル上に載置したブランケットシートを、ブランケットロール本体に巻き付けるようにして取り付ける際に、該ブランケットシートにおける上記テーブル上に載置している部分がずれることを防止できるため、上記ブランケットロール本体の外周に取り付けるブランケットシートにより確実に張力を与えることができる。 
（９）仮止め手段として、ブランケットロールの上面側に備える接着手段よりも接着強度が小さい仮止め用両面テープを用いるようにすることにより、回転するブランケットロール本体に対し、テーブル上に載置したブランケットシートを自動的に巻き終わらせることが可能になるため、該ブランケットシートの取り付けに要する労力及び時間を更に削減することができる。
【図面の簡単な説明】
【００１８】
【図１】本発明の印刷用ブランケットシートの取付方法の実施の一形態を示すもので、移動テーブル上にブランケットシートを載置した状態を示す概略側面図である。
【図２】図１の取付方法における図１に続く手順を示すもので、ブランケットロール本体の下端側位置を、移動テーブル上に載置したブランケットシートの端部に接触させた状態を示す概略側面図である。
【図３】図１の取付方法における図２に続く手順を示すもので、ブランケットロール本体を回転させて、その外周にブランケットシートを巻き付ける状態を示す概略側面図である。
【図４】図１の取付方法における図３に続く手順を示すもので、ブランケットシートを全面に亘りブランケットロール本体の外周面に取り付けてブランケットロールを形成した状態を示す該略側面図である。
【図５】本発明の印刷用ブランケットシートの取付方法を実施するときに適用するオフセット印刷装置の概要を示す側面図である。
【図６】図５のオフセット印刷装置におけるブランケットロールを拡大して示す側面図である。
【発明を実施するための形態】
【００１９】
以下、本発明を実施するための形態を図面を参照して説明する。
【００２０】
図１乃至図６は本発明の印刷用ブランケットシートの取付方法の実施の一形態として、図５及び図６に示す如きオフセット印刷装置で用いるブランケットロールのブランケットロール本体に対するブランケットシートの取り付けに適用する場合の例を示すもので、以下のようにしてある。
【００２１】
ここで、先ず、図５及び図６に示したオフセット印刷装置について概説すると、該オフセット印刷装置は、水平なベース（架台）１の上側に、一軸方向に延びるガイドレール２を設け、該ガイドレール２上に、平板状の版４と基板等の平板状の印刷対象５をそれぞれ個別に載置して保持できるようにした移動テーブル３を移動可能に取り付けると共に、該各移動テーブル３に、図示しないリニアモータ等による個別の走行駆動機構を備えて、独立して走行（往復動）できるようにする。
【００２２】
上記ガイドレール２の長手方向における上記版４用と印刷対象５用の各移動テーブル３が共に走行可能な途中位置、たとえば、上記ガイドレール２の長手方向中間位置と対応する上記ベース１上の所要個所には、上記ガイドレール２の長手方向と直交する水平方向に延びるブランケットロール７と、該ブランケットロール７を回転駆動するモータ等の回転用駆動機構８と、上記ブランケットロール７を昇降させるジャッキ等の昇降用駆動機構９を備えてなる転写機構部６を設ける。
【００２３】
上記ブランケットロール７は、図６に示す如く、たとえば金属製とした剛性の高い円筒形状のブランケットロール本体１０の外周に、周方向所要の角度範囲でブランケットシート１１を取り付けた構成としてある。なお、上記ブランケットシート１１は、上記版４より印刷対象５へ印刷すべき印刷パターン全体を覆うことができるようにするために、上記印刷パターンのサイズに対応する印刷パターン転写領域１１ａの周方向の両側となる上記ブランケットロール本体１０のロール軸方向と直角な方向の両端部に、所要幅の余剰領域１１ｂを備えてなるものとする。図６では、図示する便宜上、上記ブランケットシート１１の厚み寸法を強調して示してある（後述する図１乃至図４でも同様）。
【００２４】
更に、上記ガイドレール２の長手方向における上記版４用の移動テーブル３が走行可能な別の途中位置、たとえば、上記ベース１上における転写機構部６の設置個所よりガイドレール２の長手方向一端側（図上、左側）へ所要寸法寄った位置に、対応する移動テーブル３上に保持させた版４に対してインキングを行うためのインキング装置１２を設けた構成としてある。
【００２５】
以上の構成により、上記インキング装置１２にて予めインキングした版４を保持する移動テーブル３と、印刷対象５を保持する移動テーブル３を、ガイドレール２に沿って上記転写機構部６のブランケットロール７の直下位置を通過するように同方向より順次走行させるときに、転写機構部６にて、上記回転用駆動機構８により回転させたブランケットロール７を、昇降用駆動機構９により下降させて、該ブランケットロール７の外周に設けてある上記ブランケットシート１１の印刷パターン転写領域１１ａを、上記ガイドレール２上を走行する移動テーブル３上に保持させたインキング済みの版４の印刷パターンに上方より接触させ、次いで、上記ブランケットロール７のブランケットシート１１における印刷パターン転写領域１１ａを、上記ガイドレール２上を走行する別の移動テーブル３上に保持させた印刷対象５に上方より接触させることで、上記版４から上記ブランケットロール７のブランケットシート１１の印刷パターン転写領域１１ａへのインクの転写（受理）処理と、該ブランケットシート１１の印刷パターン転写領域１１ａから印刷対象５へのインクの再転写（印刷）処理を順次行わせて、オフセット印刷処理を実施することができるようにしてある。
【００２６】
上記構成としてあるオフセット印刷装置を適用して本発明の印刷用ブランケットシートの取付方法を実施する場合は、先ず、図１に示すように、予め、転写機構部６にて、ブランケットロール７を構成するためのブランケットロール本体１０を、その外周にブランケットシート１１を取り付けていない状態で、回転用駆動機構８（図５参照）により回転駆動可能に且つ昇降用駆動機構９（図５参照）により昇降可能に保持させておく。
【００２７】
又、上記版４又は印刷対象５用の移動テーブル３を、上記ブランケットロール本体１０の直下位置よりもガイドレール２の長手方向の他端寄り（図上、右側寄り）に配置した状態にて、該移動テーブル３の上に、平らに展開したブランケットシート１１を、図１に示すようにテーブル移動方向に沿ってブランケットロール本体１０の直下位置に近接する側から順に余剰領域１１ｂ、印刷パターン転写領域１１ａ、余剰領域１１ｃが位置するように配置した状態で、ブランケットロール本体１０への取付面を上にして載置する。
【００２８】
この際、上記移動テーブル３上に載置したブランケットシート１１のブランケットロール本体１０への取付面となる上面側には、予め接着手段１３を取り付けておくようにする。なお、上記接着手段１３としては、ブランケットロール本体１０へ取り付けた後のブランケットシート１１の表面（外周面）に凹凸が生じないようにするために、上記移動テーブル３上に載置した状態でブランケットシート１１の上面側となる面の全面に、たとえば、厚みの均一なシート状の接着剤を貼り付けるか、又は、両面テープを隙間なく貼り付けるか、又は、接着剤を均一に塗布しておくようにすればよい。このようにすれば、上記シート状の接着剤や両面テープの厚み、あるいは、接着剤の塗布厚さ程度の凹凸によっても印刷品質が影響を受けるような精密な印刷パターンのオフセット印刷を実施する場合に、より有利なものとすることができる。又、上記接着剤や両面テープ等の接着手段１３は、オフセット印刷装置によりオフセット印刷を実施する際に用いるインクの溶剤（溶媒）には容易に侵されない材質のものを使用するものとする。
【００２９】
更に、上記移動テーブル３上に載置したブランケットシート１１における上記ブランケットロール本体１０の直下位置より離反する側に位置する余剰領域１１ｃの端縁部は、その下面側を、仮止め手段として、たとえば、上記ブランケットシート１１の上面側に設けた接着手段１３よりも接着強度の弱い仮止め用両面テープ１４を介して上記移動テーブル３の表面の対応する個所に貼り付けておくようにする。
【００３０】
次に、図２に示すように、上記移動テーブル３を、図示しない走行駆動機構により移動させて、該移動テーブル３上に載置したブランケットシート１１の余剰領域１１ｂの端部がブランケットロール本体１０の直下に位置するように配置させ、この状態で、上記ブランケットロール本体１０を、転写機構部６の昇降用駆動機構９（図５参照）により下降させて、該ブランケットロール本体１０の外周面の下端側位置を、上記移動テーブル３上のブランケットシート１１の余剰領域１１ｂの端部に上側より接触させる。この際、上記ブランケットロール本体１０は、外周面の周方向に予め定めてある図示しない所定のブランケットシート取付領域の始端が、外周面の下端側に位置するような角度姿勢としておくことにより、該ブランケットシート取付領域の始端に、上記移動テーブル３上のブランケットシート１１の余剰領域１１ｂの端部を、接着手段１３を介して接着する。
【００３１】
次いで、図３に示すように、上記ブランケットロール本体１０の高さ位置を保持した状態で、上記転写機構部６の回転用駆動機構８（図５参照）により、ブランケットシート１１を巻き取る方向（図上、時計回り方向）への回転駆動を開始させると共に、このブランケットロール本体１０の回転駆動開始に同期して、上記ブランケットシート１１を載置した移動テーブル３を、図示しない走行駆動機構によりガイドレール２長手方向一端側（図上、左側）、すなわち、該移動テーブル３上のブランケットシート１１を上記ブランケットロール本体１０の直下位置へ近接させる方向への走行を開始させる。これにより、該移動テーブル３上に載置してあるブランケットシート１１の上面に対し、上記ブランケットロール本体１０の外周面を回転させながら接触させて、該回転するブランケットロール本体１０の外周面における下端側位置に、上記ブランケットシート１１を、接着手段１３を介して順次接着させる。
【００３２】
この際、上記回転駆動されるブランケットロール本体１０の直径Ｄ［ｍｍ］と回転速度Ｒ［ｒｐｓ］より導かれる該ブランケットロール本体１０の周速Ｖｒ（＝Ｒ・Ｄπ）［ｍｍ／ｓ］を、上記移動テーブル３のガイドレール２に沿う移動速度Ｖｓ［ｍｍ／ｓ］よりもやや速くなるように制御することにより、上記ブランケットシート１１における該ブランケットロール本体１０の外周面に既に貼り付けられている部分が、上記ブランケットロール本体１０の周速Ｖｒに応じた速度、すなわち、該ブランケットシート１１における上記移動速度Ｖｓの移動テーブル３上に載置されている部分よりも速い速度で移動するようになるため、該ブランケットシート１１は、上記ブランケットロール本体１０の周速Ｖｒと上記移動テーブル３の移動速度Ｖｓの速度差ΔＶ（＝Ｖｒ−Ｖｓ）に起因する張力が作用した状態で、上記ブランケットロール本体１０の外周面に接着手段１３を介して順次巻き付けられながら貼り付けられるようになる。
【００３３】
より具体的には、上記図２に示したように、回転を停止させた状態のブランケットロール本体１０の外周面におけるブランケットシート取付領域の始端に、停止させた移動テーブル３上のブランケットシート１１における余剰領域１１ｂの端部を接着させた状態から、上記ブランケットロール本体１０の回転を開始させると共に、上記ブランケットシート１１を載置した移動テーブル３の移動を開始させるときに、上記ブランケットロール本体１０の外周面の下端側位置が上記ブランケットシート１１の余剰領域１１ｂに接している間に、ブランケットロール本体１０の所定の周速Ｖｒまでの加速と、移動テーブル３の所定の移動速度Ｖｓ（ただし、Ｖｓ＜Ｖｒ）までの加速を共に行わせることで、上記ブランケットロール本体１０の外周面が、ブランケットシート１１の印刷パターン転写領域１１ａに接触している間は、上記ブランケットロール本体１０の周速Ｖｒと上記移動テーブル３の移動速度Ｖｓが共に一定速度に保持されるようにすることが好ましい。
【００３４】
このようにすれば、上記ブランケットロール本体１０の外周面がブランケットシート１１の印刷パターン転写領域１１ａに接触している間は、上記ブランケットロール本体１０の周速Ｖｒと上記移動テーブル３の移動速度Ｖｓとの速度差ΔＶを一定に保持できるため、上記ブランケットロール本体１０の外周面に順次接着されるブランケットシート１１における印刷パターン転写領域１１ａに対し、一定の張力を確実に与えることができるようになる。
【００３５】
なお、上記ブランケットロール本体１０の周速Ｖｒと上記移動テーブル３の移動速度Ｖｓの速度差ΔＶ（＝Ｖｒ−Ｖｓ）が大きい場合は、上記ブランケットシート１１に与えられる張力が大きくなり、一方、上記速度差ΔＶが小さい場合は、上記ブランケットシート１１に与えられる張力も小さくなることから、上記ブランケットロール本体１０の周速Ｖｒと上記移動テーブル３の移動速度Ｖｓの速度差ΔＶは、上記ブランケットシート１１の材質や弾性等の性状、オフセット印刷で用いるインク材質等に応じて適宜設定するようにすればよい。又、上記所定の速度差ΔＶを得るための上記ブランケットロール本体１０の周速Ｖｒと上記移動テーブル３の移動速度Ｖｓの設定は、各速度の制御性や、作業効率に鑑みて適宜設定すればよい。
【００３６】
その後、上記ブランケットロール本体１０の回転駆動と、ブランケットシート１１を載置した移動テーブル３の移動を継続して行う。これにより、上記回転するブランケットロール本体１０が、上記移動テーブル３上に仮止め用両面テープ１４を介して仮止めしてある上記ブランケットシート１１の余剰領域１１ｃの端部の上面まで達すると、該ブランケットシート１１の余剰領域１１ｃの端部の上面側が、接着手段１３を介して上記ブランケットロール本体１０の外周面に接着されるようになる。よって、上記ブランケットロール本体１０の回転を更に行うと、図４に示すように、上記接着手段１３と仮止め用両面テープ１４との接着強度の差に基づいて、上記ブランケットシート１１の余剰領域１１ｃの端縁部の仮止め用両面テープ１４を介した上記移動テーブル３に対する仮止め部分が自動的に分離されるようになる。これにより、該ブランケットシート１１が、全面に亘り上記接着手段１３を介して上記ブランケットロール本体１０の外周面に接着して取り付けてなるブランケットロール７を形成させる。なお、使用後の上記仮止め用両面テープ１４は、上記ブランケットロール本体１０に取り付けられたブランケットシート１１の外周面、あるいは、上記移動テーブル３の上面から取り除くようにすればよい。
【００３７】
このように、本発明の印刷用ブランケットシートの取付方法によれば、ブランケットロール本体１０の外周面に、ブランケットシート１１を、所望する張力を与えた状態で取り付けてブランケットロール７を形成することができる。
【００３８】
更に、上記ブランケットシート１１に張力を与える手段としては、ブランケットロール本体１０の周速Ｖｒと、上記ブランケットシート１１を載置した移動テーブル３の移動速度Ｖｓとの速度差ΔＶを利用するようにしてあり、しかも、上記ブランケットロール本体１０の回転駆動を調整する転写機構部６の回転用駆動機構８や、ブランケットシート１１の移動速度を調整する移動テーブル３の走行駆動機構は、図５及び図６に示した如きオフセット印刷装置にもともと備えられている装置構成であるため、従来のような張力検出器を要する専用の大掛かりな治具は不要になる。
【００３９】
しかも、上記ブランケットシート１１は、接着手段１３のみによりブランケットロール本体１０の外周面に接着して取り付けるようにしてあるため、上記接着手段１３の接着力を弱める溶剤をブランケットシート１１に染み込ませることで、弱い力で容易に取り外すことが可能になる。
【００４０】
よって、ブランケットロール７の寿命に達したブランケットシート１１の交換作業に要する労力及び時間を大幅に削減することができる。
【００４１】
更に、上記ブランケットロール本体１０の外周面に取り付けられたブランケットシート１１の印刷パターン転写領域１１ａに対し、一定の張力を与えるようにしてあるため、該ブランケットロール本体１０とブランケットシート１１からなるブランケットロール７を用いて図５及び図６に示した如きオフセット印刷装置におけるオフセット印刷を実施する際には、上記ブランケットシート１１の印刷パターン転写領域１１ａを介して版４より印刷対象５へオフセット印刷する印刷パターンの再現性の精度を高めることができて、精密な印刷パターンのオフセット印刷を実施するのに有利なものとすることができる。
【００４２】
なお、本発明は上記実施の形態のみに限定されるものではなく、移動テーブル３上に載置したブランケットシート１１におけるブランケットロール本体１０より離反する側の端部を上記移動テーブル３上に仮止めするための仮止め手段としては、仮止め用両面テープ１４を例示したが、上記移動テーブル３上に載置したブランケットシート１１が、ブランケットロール本体１０に順次巻き付けられる際に、該ブランケットシート１１における上記移動テーブル３上に載置している部分が容易に動かないようにできれば、仮止め用の金具等、仮止め用両面テープ１４以外のいかなる形式の仮止め手段を採用してもよい。
【００４３】
又、上記仮止め手段が、移動テーブル３上に載置されたブランケットシート１１の上面に対して接触させるブランケットロール本体１０の外周面と干渉する虞が懸念される場合、あるいは、ブランケットシート１１における移動テーブル３に対する仮止め部分の自動的な分離が不可能な形式の仮止め手段を用いる場合は、ブランケットロール本体１０の外周面がブランケットシート１１の印刷パターン転写領域１１ａに接触している間は、上記ブランケットロール本体１０の周速Ｖｒと上記移動テーブル３の移動速度Ｖｓを共に一定速度に保持して両者の速度差ΔＶを一定に保持した後、上記ブランケットロール本体１０の外周面が上記ブランケットシート１１の余剰領域１１ｃに接触するようになった時点で該ブランケットロール本体１０の回転と、移動テーブル３の移動を一旦停止させて、仮止め手段を取り除き、その後、上記ブランケットシート１１の余剰領域１１ｃの未接着部分の上面側を、上記ブランケットロール本体１０の外周面に接着させるようにすればよい。このようにすれば、上記ブランケットロール本体１０の外周面がブランケットシート１１の印刷パターン転写領域１１ａに接触している間は、上記ブランケットロール本体１０の周速Ｖｒと上記移動テーブル３の移動速度Ｖｓとの速度差ΔＶを一定に保持できるため、上記ブランケットロール本体１０の外周面に接着されたブランケットシート１１における印刷パターン転写領域１１ａに対し、一定の張力を与えることができる。
【００４４】
更には、弾性を有する樹脂製のブランケットシート１１が、その材料特性により単に移動テーブル３上に載置するのみで該移動テーブル３上に密着して容易に動かない場合は、仮止め手段は省略してもよい。
【００４５】
ブランケットシート１１における印刷パターン転写領域１１ａや、各余剰領域１１ｂ，１１ｃの寸法は、版４の印刷パターンのサイズ等に応じて適宜変更してもよい。更に、印刷パターン転写領域１１ａの両側の各余剰領域１１ｂ，１１ｃの寸法は必ずしも同じでなくてもよい。
【００４６】
ブランケットロール本体１０の外周面にブランケットシート１１の余剰領域１１ｂの端部を最初に取り付けるときに、該ブランケットシート１１の余剰領域１１ｂの端部を、所要の取付金具等を介してブランケットロール本体１０の外周面の所定個所に取り付けるようにしてもよい。
【００４７】
ブランケットロール本体１０の外周面におけるブランケットシート１１を取り付ける周方向の領域は、該ブランケットロール本体１０の径寸法と、版４の印刷パターンのサイズに応じて設定するブランケットシート１１のサイズに応じて適宜変更してよい。
【００４８】
移動テーブル３上に載置するブランケットシート１１は、少なくとも印刷パターン転写領域１１ａと対応する個所の上面側の全面に、厚みの均一なシート状の接着剤又は両面テープ、あるいは、均一に塗布した接着剤等の接着手段１３を備えるようにしてあれば、その周りの余剰領域１１ｂ，１１ｃについては、必ずしも全面に接着手段１３を備えていなくてもよい。
【００４９】
本発明の印刷用ブランケットシートの取付方法は、回転駆動及び昇降可能としてあるブランケットロール７の下方位置をロール軸と直角方向に走行する少なくとも１つの移動テーブル３を備えた形式のオフセット印刷装置であれば、図示した以外の構成のオフセット印刷装置のブランケットロール７におけるブランケットシート１１の取り付けに適用してもよい。更には、テーブル上に保持した版４や印刷対象５に対し、回転させたブランケットロールを、ロール軸方向と直角な方向に相対的に移動させながら接触させるようにしてある形式のオフセット印刷装置であれば、いかなる形式のオフセット印刷装置のブランケットロール７におけるブランケットシート１１の取り付けに適用してもよい。
【００５０】
その他本発明の要旨を逸脱しない範囲内で種々変更を加え得ることは勿論である。
【符号の説明】
【００５１】
３  移動テーブル（テーブル）
１０  ブランケットロール本体
１１  ブランケットシート
１１ａ  印刷パターン転写領域
１３  接着手段
１４  仮止め用両面テープ（仮止め手段）
Ｖｒ  ブランケットロール本体の周速
Ｖｓ  テーブルの移動速度
【図１】
2011152726.tif 000003
【図２】
2011152726.tif 000004
【図３】
2011152726.tif 000005
【図４】
2011152726.tif 000006
【図５】
2011152726.tif 000007
【図６】
2011152726.tif 000008